(57)【要約】【課題】盛り土による土質構造体に埋設される地中構造物の浮上抵抗力を増大させ、施工性を向上させる。【解決手段】第１の工程で、地盤４の支持地盤Ｃ上にパイプライン２を配置し、第２の工程で、パイプラインの長手方向左右両側に土嚢３を配置し、第３の工程で、ジオテキスタイルの左右方向両端１０Ｂ、１０Ｃを余らせるようにパイプライン２と支持地盤Ｃと土嚢３の内側面とに沿ってジオテキスタイル１０を被せる。第４の工程で、盛り土材５を土嚢３の左右両側に投入し、ジオテキスタイル両端余り部１０Ｂ、１０Ｃを盛り土材５の投入に応じて上方に伸ばし、所定の高さＬ１まで達すると、第５の工程で、ジオテキスタイル１０の両端１０Ｂ、１０Ｃを接続してさらに盛り土材５を投入し、ジオテキスタイル１０を盛り土材５内に埋め込んで土質構造体６を築造する。【選択図】図１
2008267567.tif 000002
【特許請求の範囲】
【請求項１】
地盤上に地中構造物を配置する第１の工程と、地中構造物の長手方向左右両側のうち少なくともいずれか一方に支持壁材を配置する第２の工程と、ジオテキスタイルの左右方向両端を余らせるように地中構造物と地盤と支持壁材の内側面とに沿ってジオテキスタイルを被せる第３の工程と、盛り土材を支持壁材の左右方向両側に投入し、ジオテキスタイル両端余り部を盛り土材の投入に応じて伸ばす第４の工程と、ジオテキスタイルの両端を埋め込むように盛り土材を投入し土質構造体を形成する第５の工程とを備えたことを特徴とするジオテキスタイルによる地中構造物の浅埋設工法。
【請求項２】
第１の工程後、地中構造物の一部を盛り土材上に露出させるように地中構造物が配置された地盤に盛り土材を投入して、支持壁材を配置することを特徴とする請求項１に記載のジオテキスタイルによる地中構造物の浅埋設工法。
【請求項３】
盛り土材を、配置された支持壁材上部まで投入しては、支持壁材上に他の支持壁材を積み上げてジオテキスタイルの余り部を引き上げ、積み上げと盛り土材の投入と余り部の引き上げとを繰り返し、投入された盛り土材内部に積み上げた支持壁材により支持壁を形成するとともに、支持壁上の所定の高さまで盛り土材を投入することを特徴とする請求項１または２に記載のジオテキスタイルによる地中構造物の浅埋設工法。
【請求項４】
支持壁材を配置する際、盛り土材が所定の嵩を確保するように地中構造物と支持壁材との間に間隙を設けたことを特徴とする請求項１ないし３のうちいずれか１に記載のジオテキスタイルによる地中構造物の浅埋設工法。
【請求項５】
支持壁材は、地中構造物の長手方向左右両側に設けられることを特徴とする請求項１ないし４のうちいずれか１に記載のジオテキスタイルによる地中構造物の浅埋設工法。
【請求項６】
地盤上に地中構造物を配置する第１の工程と、地中構造物の長手方向左右両側のうち少なくともいずれか一方に抜き板を立設する第２の工程と、ジオテキスタイルの左右方向両端を余らせるように地中構造物と地盤と抜き板の内側面とに沿ってジオテキスタイルを被せる第３の工程と、盛り土材を抜き板の左右方向両側に投入し、ジオテキスタイル両端余り部を盛り土材の投入に応じて伸ばし、抜き板を上方に引き上げる第４の工程と、抜き板を引き抜く第５の工程と、ジオテキスタイルの両端を埋め込むように盛り土材を投入し、土質構造体を形成する第６の工程とを備えたことを特徴とするジオテキスタイルによる地中構造物の浅埋設工法。
【請求項７】
第１の工程後、地中構造物の一部を盛り土材上に露出させるように地中構造物が配置された地盤に盛り土材を投入して、抜き板を立設することを特徴とする請求項６に記載のジオテキスタイルによる地中構造物の浅埋設工法。
【請求項８】
地中構造物の配置後、盛り土材を投入しては、抜き板を徐々に引き上げ、盛り土材の投入と抜き板の引き上げとを繰り返すことを特徴とする請求項６または７に記載のジオテキスタイルによる地中構造物の浅埋設工法。
【請求項９】
抜き板を立設する際、盛り土材が所定の嵩を確保するように地中構造物と抜き板との間に間隙を設けたことを特徴とする請求項６ないし８のうちいずれか１に記載のジオテキスタイルによる地中構造物の浅埋設工法。
【請求項１０】
抜き板は、地中構造物の長手方向左右両側に設けられることを特徴とする請求項６ないし９のうちいずれか１に記載のジオテキスタイルによる地中構造物の浅埋設工法。
【請求項１１】
地盤上に地中構造物を配置する第１の工程と、地中構造物の長手方向左右両側にジオテキスタイルの左右方向両端を余らせるようにジオテキスタイルの左右両端を延ばしてジオテキスタイルを地中構造物と地盤とに被せる第２の工程と、盛り土材を地中構造物上とその左右方向両側に投入し、ジオテキスタイル両端余り部を盛り土材の投入に応じて上方に伸ばす第３の工程と、ジオテキスタイルの両端を埋め込むように盛り土材を投入し土質構造体を形成する第４の工程とを備えたことを特徴とするジオテキスタイルによる地中構造物の浅埋設工法。
【請求項１２】
第１の工程後、地中構造物の一部を盛り土材上に露出させるように地中構造物が配置された地盤に盛り土材を投入して、ジオテキスタイルを被せることを特徴とする請求項１１に記載のジオテキスタイルによる地中構造物の浅埋設工法。
【請求項１３】
ジオテキスタイルを被せる際、盛り土材が所定の嵩を確保するようにジオテキスタイルを地中構造物から左右両側に敷き延ばすことを特徴とする請求項１１または１２に記載のジオテキスタイルによる地中構造物の浅埋設工法。
【請求項１４】
ジオテキスタイルを被せ、このジオテキスタイルの左右方向両端を余らせて盛り土材を投入した後、盛り土材が所定の高さに達すると、上記ジオテキスタイルの余り部を投入された盛り土材上に被せて接続し盛り土材を包むことを特徴とする請求項１ないし１３のうちいずれか１に記載のジオテキスタイルによる地中構造物の浅埋設工法。
【請求項１５】
第１の工程前に、地盤上に地盤材料を投入して支持地盤を形成し、この支持地盤上に地中構造物を配置したことを特徴とする請求項１ないし１４のうちいずれか１に記載のジオテキスタイルによる地中構造物の浅埋設工法。
【請求項１６】
土質構造体が堤体または造成地であることを特徴とする請求項１ないし１５のうちいずれか１に記載のジオテキスタイルによる地中構造物の浅埋設工法。
【発明の詳細な説明】
【技術分野】
【０００１】
本発明は、地中構造物をジオテキスタイルを用いて地中に埋設するジオテキスタイルによる地中構造物の浅埋設工法に関するものである。
【背景技術】
【０００２】
一般に、地中に埋設されるパイプラインや水路、マンホールなどの地中構造物を地盤の浅い位置に設置する場合、地中構造物に作用する浮力に抵抗するための対策としてジオテキスタイルを用いた地盤補強技術や施工方法が知られている。地盤に埋設される構造物は、地下水や豪雨による浮力を受けるので、浮上に対する安全性を確保するため所定の土被りを設ける必要がある。このため、埋設施工に必要な溝の掘削も大規模になり、工期の長期化や経費の増大の原因となっている。地中構造物の浮上を防止するためには、地中構造物に対し、浮力に見合った鉛直下向きの力を作用させる必要がある。方法としては、土被りを大きくする他に、構造物の重量の増大化をはかったり、構造物上部にコンクリートブロックなどの浮力防止パネルを設置する等の技術が知られている。しかしながら、土被りを大きくするためには、掘削溝の深度を深く取らなければならず、構造物重量の増大化をはかったり浮上抵抗に応じて大量のパネルを設置すると、コストアップを招くという問題がある。このため、本発明者は、掘削溝の両側壁に矢板を打ち込み、この両側を土留め用の矢板で保護した上で、掘削溝に地中構造物を配置し、ジオテキスタイルを敷設して埋め戻し材を投入し、埋め戻し材を包み込んだジオテキスタイルにより地中構造物の浮上抵抗力を抑制する地中構造物の埋設工法を提案した（特許文献１参照）。
【０００３】
【特許文献１】特許第３３１４１９１号公報（第３−５頁、図３）
【発明の開示】
【発明が解決しようとする課題】
【０００４】
しかしながら、地中構造物の埋設では、必ずしも埋設するための溝を掘削できる条件を整えた場所ばかりとはいえず、現実には、農地すなわち地盤の上に盛り土をして堤体や造成地を築造したり、傾斜面に排水管などの地中構造物を設置しなければならない場合がある。また、地形の凹凸などの制約により、埋設経路に溝の掘削が必要な部分と溝の掘削が不要な地盤部分とが混在する場合もある。このため、上記従来の埋設工法が適用しにくいという問題がある。さらに、地震などで、生活環境がダメージを受けた場合、応急的に給排水用のパイプを敷設する場合、地盤を掘削する手間はかけられず、勢い地盤上に設置しなければならない。このため、地盤上に形成した堤体や造成地などの土質構造体では、その内部にパイプなどの地中構造物を埋設した場合、降雨による土中水位の上昇で浮力による地中構造物の浮き上がりや外的条件による震動を考慮し、地中構造物の変形抑制と安定性向上のため、土質構造体に対し、地中深く埋設しなければならないという問題がある。このため、土質構造体の嵩が小さい場合、浮力に見合った鉛直方向下向きの力を作用させるため、地盤を掘削しなければならず、コストアップを招くという問題がある。また、地中構造物が大型化するとその浮力に応じて堤体や造成地の構造を大型化させなければならないという問題がある。
【０００５】
本発明は、上記課題を解決するためになされたもので、埋設用の掘削溝を掘削する必要がなく、地盤上に盛り土をした土質構造体に埋設される地中構造物の浮上抵抗力を増大させ、施工性が良好で、かつ、コストダウンを図ることのできるジオテキスタイルによる地中構造物の浅埋設工法を得ることを目的とする。
【課題を解決するための手段】
【０００６】
請求項１に係るジオテキスタイルによる地中構造物の浅埋設工法は、地盤上に地中構造物を配置する第１の工程と、地中構造物の長手方向左右両側のうち少なくともいずれか一方に支持壁材を配置する第２の工程と、ジオテキスタイルの左右方向両端を余らせるように地中構造物と地盤と支持壁材の内側面とに沿ってジオテキスタイルを被せる第３の工程と、盛り土材を支持壁材の左右方向両側に投入し、ジオテキスタイル両端余り部を盛り土材の投入に応じて伸ばす第４の工程と、ジオテキスタイルの両端を埋め込むように盛り土材を投入し土質構造体を形成する第５の工程とを備えたものである。
【０００７】
請求項１に係るジオテキスタイルによる地中構造物の浅埋設工法では、地盤上に地中構造物を配置する第１の工程と、地中構造物の長手方向左右両側のうち少なくともいずれか一方に支持壁材を配置する第２の工程と、ジオテキスタイルの左右方向両端を余らせるように地中構造物と地盤と支持壁材の内側面とに沿ってジオテキスタイルを被せる第３の工程と、盛り土材を支持壁材の左右方向両側に投入し、ジオテキスタイル両端余り部を盛り土材の投入に応じて伸ばす第４の工程と、ジオテキスタイルの両端を埋め込むように盛り土材を投入し土質構造体を形成する第５の工程とを備えたことにより、ジオテキスタイルで盛り土材を囲むことにより盛り土材の剛性が高まり、盛り土材が地中構造物に対してアンカー機能を果たすので、ジオテキスタイル上側に投入される土被りとしての盛り土材層の厚みを薄くすることができる。このため、土質構造体に地中構造物を浅く埋設しても確実に地中構造物の浮上を抑制することができる。また、埋設されたジオテキスタイルの左右方向側面には支持壁材が配置されているので、ジオテキスタイルの左右方向側面が変形されることなく保持され、ジオテキスタイルに囲まれた盛り土材の剛性が確実に確保され、設計通りのアンカー機能を得ることができる。
【０００８】
請求項２に係るジオテキスタイルによる地中構造物の浅埋設工法は、第１の工程後、地中構造物の一部を盛り土材上に露出させるように地中構造物が配置された地盤に盛り土材を投入して、支持壁材を配置するようにしたものである。
【０００９】
請求項２に係るジオテキスタイルによる地中構造物の浅埋設工法では、第１の工程後、地中構造物の一部を盛り土材上に露出させるように地中構造物が配置された地盤に盛り土材を投入して、支持壁材を配置するようにしたことにより、地中構造物は配置後最初に盛り土材が投入され、一部が盛り土材に埋められるので、作業中に変位することがなく、確実に施工を行うことができる。
【００１０】
請求項３に係るジオテキスタイルによる地中構造物の浅埋設工法は、盛り土材を、配置された支持壁材上部まで投入しては、支持壁材上に他の支持壁材を積み上げてジオテキスタイルの余り部を引き上げ、積み上げと盛り土材の投入と余り部の引き上げとを繰り返し、投入された盛り土材内部に積み上げた支持壁材により支持壁を形成するとともに、支持壁上の所定の高さまで盛り土材を投入することを特徴とするものである。
【００１１】
請求項４に係るジオテキスタイルによる地中構造物の浅埋設工法は、支持壁材を配置する際、盛り土材が所定の嵩を確保するように地中構造物と支持壁材との間に間隙を設けたことを特徴とするものである。
【００１２】
請求項５に係るジオテキスタイルによる地中構造物の浅埋設工法では、支持壁材は、地中構造物の長手方向左右両側に設けられることを特徴とするものである。
【００１３】
請求項６に係るジオテキスタイルによる地中構造物の浅埋設工法は、地盤上に地中構造物を配置する第１の工程と、地中構造物の長手方向左右両側のうち少なくともいずれか一方に抜き板を立設する第２の工程と、ジオテキスタイルの左右方向両端を余らせるように地中構造物と地盤と抜き板の内側面とに沿ってジオテキスタイルを被せる第３の工程と、盛り土材を抜き板の左右方向両側に投入し、ジオテキスタイル両端余り部を盛り土材の投入に応じて伸ばし、抜き板を上方に引き上げる第４の工程と、抜き板を引き抜く第５の工程と、ジオテキスタイルの両端を埋め込むように盛り土材を投入し、土質構造体を形成する第６の工程とを備えたたものである。
【００１４】
請求項６に係るジオテキスタイルによる地中構造物の浅埋設工法では、地盤上に地中構造物を配置する第１の工程と、地中構造物の長手方向左右両側のうち少なくともいずれか一方に抜き板を立設する第２の工程と、ジオテキスタイルの左右方向両端を余らせるように地中構造物と地盤と抜き板の内側面とに沿ってジオテキスタイルを被せる第３の工程と、盛り土材を抜き板の左右方向両側に投入し、ジオテキスタイル両端余り部を盛り土材の投入に応じて伸ばし、抜き板を上方に引き上げる第４の工程と、抜き板を引き抜く第５の工程と、ジオテキスタイルの両端を埋め込むように盛り土材を投入し、土質構造体を形成する第６の工程とを備えたことにより、ジオテキスタイルで盛り土材を囲むことにより盛り土材の剛性が高まり、盛り土材が地中構造物に対してアンカー機能を果たすので、ジオテキスタイル上側に投入される土被りとしての盛り土材層の厚みを薄くすることができる。このため、土質構造体に地中構造物を浅く埋設しても確実に地中構造物の浮上を抑制することができる。また、抜き板を引き上げながら盛り土材を投入することができるので、確実にジオテキスタイルにより盛り土材を囲むことができる。さらに、埋設されたジオテキスタイルの左右方向側面には抜き板が配置され、盛り土材の投入量の増大に応じて抜き板が引き抜かれるので、ジオテキスタイルの左右方向側面が変形されることなく平面状に保持され、ジオテキスタイルに囲まれた盛り土材の剛性が確実に確保され、設計通りのアンカー機能を得ることができる。また、抜き板を引き抜いて盛り土するようにしているので、盛り土された土質構造体には、抜き板や他の部材を埋め殺しする必要がなくなる。
【００１５】
請求項７に係るジオテキスタイルによる地中構造物の浅埋設工法は、第１の工程後、地中構造物の一部を盛り土材上に露出させるように地中構造物が配置された地盤に盛り土材を投入して、抜き板を立設するようにしたものである。
【００１６】
請求項７に係るジオテキスタイルによる地中構造物の浅埋設工法では、第１の工程後、地中構造物の一部を盛り土材上に露出させるように地中構造物が配置された地盤に盛り土材を投入して、抜き板を立設するようにしたことにより、地中構造物は配置後最初に盛り土材が投入され、一部が盛り土材に埋められるので、作業中に変位することがなく、確実に施工を行うことができる。
【００１７】
請求項８に係るジオテキスタイルによる地中構造物の浅埋設工法では、地中構造物の配置後、盛り土材を投入しては、抜き板を徐々に引き上げ、盛り土材の投入と抜き板の引き上げとを繰り返すことを特徴とするものである。
【００１８】
請求項９に係るジオテキスタイルによる地中構造物の浅埋設工法は、抜き板を立設する際、盛り土材が所定の嵩を確保するように地中構造物と抜き板との間に間隙を設けたことを特徴とするものである。
【００１９】
請求項１０に係るジオテキスタイルによる地中構造物の浅埋設工法では、抜き板は、地中構造物の長手方向左右両側に設けられることを特徴とするものである。
【００２０】
請求項１１に係るジオテキスタイルによる地中構造物の浅埋設工法は、地盤上に地中構造物を配置する第１の工程と、地中構造物の長手方向左右両側にジオテキスタイルの左右方向両端を余らせるようにジオテキスタイルの左右両端を延ばしてジオテキスタイルを地中構造物と地盤とに被せる第２の工程と、盛り土材を地中構造物上とその左右方向両側に投入し、ジオテキスタイル両端余り部を盛り土材の投入に応じて上方に伸ばす第３の工程と、ジオテキスタイルの両端を埋め込むように盛り土材を投入し土質構造体を形成する第４の工程とを備えたものである。
【００２１】
請求項１１に係るジオテキスタイルによる地中構造物の浅埋設工法では、地盤上に地中構造物を配置する第１の工程と、地中構造物の長手方向左右両側にジオテキスタイルの左右方向両端を余らせるようにジオテキスタイルの左右両端を延ばしてジオテキスタイルを地中構造物と地盤とに被せる第２の工程と、盛り土材を地中構造物上とその左右方向両側に投入し、ジオテキスタイル両端余り部を盛り土材の投入に応じて上方に伸ばす第３の工程と、ジオテキスタイルの両端を埋め込むように盛り土材を投入し土質構造体を形成する第４の工程とを備えたことにより、地中構造物の配置後直ちにジオテキスタイルを被せて盛り土材を投入することができる。
【００２２】
請求項１２に係るジオテキスタイルによる地中構造物の浅埋設工法は、第１の工程後、地中構造物の一部を盛り土材上に露出させるように地中構造物が配置された地盤に盛り土材を投入して、ジオテキスタイルを被せるようにしたものである。
【００２３】
請求項１２に係るジオテキスタイルによる地中構造物の浅埋設工法では、第１の工程後、地中構造物の一部を盛り土材上に露出させるように地中構造物が配置された地盤に盛り土材を投入して、ジオテキスタイルを被せるようにしたことにより、ジオテキスタイルで盛り土材を囲むことにより盛り土材の剛性が高まり、盛り土材が地中構造物に対してアンカー機能を果たすので、ジオテキスタイル上側に投入される土被りとしての盛り土材層の厚みを薄くすることができる。このため、土質構造体に地中構造物を浅く埋設しても確実に地中構造物の浮上を抑制することができる。また、地中構造物は配置後に盛り土材が投入され、一部が盛り土材に埋められるので、作業中に変位することがなく、確実に施工を行うことができる。
【００２４】
請求項１３に係るジオテキスタイルによる地中構造物の浅埋設工法は、ジオテキスタイルを被せる際、盛り土材が所定の嵩を確保するようにジオテキスタイルを地中構造物から左右両側に敷き延ばすことを特徴とするものである。
【００２５】
請求項１４に係るジオテキスタイルによる地中構造物の浅埋設工法は、ジオテキスタイルを被せ、このジオテキスタイルの左右方向両端を余らせて盛り土材を投入した後、盛り土材が所定の高さに達すると、上記ジオテキスタイルの余り部を投入された盛り土材上に被せて接続し盛り土材を包むようにしたものである。
【００２６】
請求項１４に係るジオテキスタイルによる地中構造物の浅埋設工法では、ジオテキスタイルを被せ、このジオテキスタイルの左右方向両端を余らせて盛り土材を投入した後、盛り土材が所定の高さに達すると、上記ジオテキスタイルの余り部を投入された盛り土材上に被せて接続し盛り土材を包むようにしたことにより、ジオテキスタイルで盛り土材を包み込むことにより盛り土材の剛性がより高まり、盛り土が地中構造物に対して果たすアンカー機能が向上する。このため、包み込む盛り土の量を少なくすることができ、ジオテキスタイルも減らすことができる。
【００２７】
請求項１５に係るジオテキスタイルによる地中構造物の浅埋設工法は、第１の工程前に、地盤上に地盤材料を投入して支持地盤を形成し、この支持地盤上に地中構造物を配置したことを特徴とするものである。
【００２８】
請求項１５に係るジオテキスタイルによる地中構造物の浅埋設工法では、第１の工程前に、地盤上に地盤材料を投入して支持地盤を形成し、この支持地盤上に地中構造物を配置したことにより、地中構造物の変形を抑制することができ、安定性が向上する。また、ジオテキスタイルで囲まれた盛り土も変形しにくくなる。
【００２９】
請求項１６に係るジオテキスタイルによる地中構造物の浅埋設工法は、土質構造体が堤体または造成地であることを特徴とするものである。
【発明の効果】
【００３０】
請求項１に係るジオテキスタイルによる地中構造物の浅埋設工法では、地盤上に地中構造物を配置する第１の工程と、地中構造物の長手方向左右両側のうち少なくともいずれか一方に支持壁材を配置する第２の工程と、ジオテキスタイルの左右方向両端を余らせるように地中構造物と地盤と支持壁材の内側面とに沿ってジオテキスタイルを被せる第３の工程と、盛り土材を支持壁材の左右方向両側に投入し、ジオテキスタイル両端余り部を盛り土材の投入に応じて伸ばす第４の工程と、ジオテキスタイルの両端を埋め込むように盛り土材を投入し土質構造体を形成する第５の工程とを備えているので、地中構造物を埋設するにあたり、溝を掘削する必要がなく、地盤に直接地中構造物を配置することができる、工期が短縮化され、コストダウンを図ることができる。地中構造物への盛り土の投入とこの地中構造物の長手方向左右両側への盛り土の投入とを同時に行うことができるので、地中構造物の変形を抑制することができ、地中構造物を安全に埋設することができる。浮上抵抗を確実に得ることができるので、地中構造物を浅い位置に埋設することができ、すでに築造された土質構造体上あるいは、築造途中の土質構造体にも埋設することができる。確実に浮上抵抗を得られることにより、盛り土により築造される土質構造体の増大化を抑え、施工効率を向上させることができるとともに、施工コストを低減することができる。また、ジオテキスタイルで囲む盛り土材の嵩を浮上抵抗に応じて必要最小限とすることができるので、ジオテキスタイルの使用量を抑え、コストダウンを図ることができる。
【００３１】
請求項６に係るジオテキスタイルによる地中構造物の浅埋設工法では、地盤上に地中構造物を配置する第１の工程と、地中構造物の長手方向左右両側のうち少なくともいずれか一方に抜き板を立設する第２の工程と、ジオテキスタイルの左右方向両端を余らせるように地中構造物と地盤と抜き板の内側面とに沿ってジオテキスタイルを被せる第３の工程と、盛り土材を抜き板の左右方向両側に投入し、ジオテキスタイル両端余り部を盛り土材の投入に応じて伸ばし、抜き板を上方に引き上げる第４の工程と、抜き板を引き抜く第５の工程と、ジオテキスタイルの両端を埋め込むように盛り土材を投入し、土質構造体を形成する第６の工程とを備えているので、地中構造物を埋設するにあたり、溝を掘削する必要がなく、地盤に直接地中構造物を配置することができる、工期が短縮化され、コストダウンを図ることができる。地中構造物への盛り土の投入とこの地中構造物の長手方向左右両側への盛り土の投入とを同時に行うことができるので、地中構造物の変形を抑制することができ、地中構造物を安全に埋設することができる。浮上抵抗を確実に得ることができるので、地中構造物を浅い位置に埋設することができ、すでに築造された土質構造体上あるいは、築造途中の土質構造体にも埋設することができる。確実に浮上抵抗を得られることにより、盛り土により築造される土質構造体の増大化を抑え、施工効率を向上させることができるとともに、施工コストを低減することができる。また、ジオテキスタイルで囲む盛り土材の嵩を浮上抵抗に応じて必要最小限とすることができるので、ジオテキスタイルの使用量を抑え、コストダウンを図ることができる。さらに、抜き板を引き抜いて盛り土するようにしているので、盛り土された土質構造体には、抜き板や他の部材を埋め殺しする必要がなくなりコストダウンを図ることができる。
【００３２】
請求項１１に係るジオテキスタイルによる地中構造物の浅埋設工法では、地盤上に地中構造物を配置する第１の工程と、地中構造物の長手方向左右両側にジオテキスタイルの左右方向両端を余らせるようにジオテキスタイルの左右両端を延ばしてジオテキスタイルを地中構造物と地盤とに被せる第２の工程と、盛り土材を地中構造物上とその左右方向両側に投入し、ジオテキスタイル両端余り部を盛り土材の投入に応じて上方に伸ばす第３の工程と、ジオテキスタイルの両端を埋め込むように盛り土材を投入し土質構造体を形成する第４の工程とを備えているので、地中構造物を埋設するにあたり、溝を掘削する必要がなく、地盤に直接地中構造物を配置することができ、工期が短縮化され、コストダウンを図ることができる。地中構造物への盛り土の投入とこの地中構造物の長手方向左右両側への盛り土の投入とを同時に行うことができるので、地中構造物の変形を抑制することができ、地中構造物を安全に埋設することができる。浮上抵抗を確実に得ることができるので、地中構造物を浅い位置に埋設することができ、すでに築造された土質構造体上あるいは、築造途中の土質構造体にも埋設することができる。確実に浮上抵抗を得られることにより、盛り土により築造される土質構造体の増大化を抑え、施工効率を向上させることができるとともに、施工コストを低減することができる。また、ジオテキスタイルで囲む盛り土材の嵩を浮上抵抗に応じて必要最小限とすることができるので、ジオテキスタイルの使用量を抑え、コストダウンを図ることができる。さらに、地中構造物の配置後直ちにジオテキスタイルを被せて盛り土材を投入することができる。このため、施工効率を向上させることができる
【発明を実施するための最良の形態】
【００３３】
地中構造物を、地盤上に盛り土により築造される土質構造体に埋設する際、確実に地中構造物の浮上抵抗を抑えるという目的を、地盤に配置した地中構造物の長手方向に対して左右方向の両側に支持壁材または抜き板を配置してジオテキスタイルを敷設し、盛り土材を投入し、投入された盛り土材が所定の高さに達するまで支持壁材を積み上げるか、抜き板を徐々に引き上げた後引き抜き、地中構造物の回りを、ジオテキスタイルで包まれた盛り土材により囲むことにより実現した。
【実施例１】
【００３４】
以下、図面に示す実施例により本発明を説明する。図１は、本発明の第１の実施例に係るジオテキスタイルによる地中構造物の浅埋設工法により地中構造物を土質構造体に埋設した状態を示す断面図、図２の（Ａ）ないし（Ｅ）、図３の（Ｆ）ないし（Ｉ）および図４の（Ｊ）および（Ｋ）はそれぞれ、この実施例に係るジオテキスタイルによる地中構造物の浅埋設工法により地中構造物を土質構造体に埋設する工程を順を追って示す説明図である。本実施例に係るジオテキスタイルによる地中構造物の浅埋設工法について説明する。まず初めに、埋設予定現場の地盤４に砂や砕石などの支持力の高い地盤材料を投入して所定の厚さの支持地盤Ｃを形成する（図２の（Ａ）、（Ｂ）参照）。
【００３５】
次に、図２の（Ｃ）に示すように、形成された支持地盤Ｃ上にパイプライン（地中構造物）２を配置する（第１の工程）。パイプライン２が支持地盤Ｃ上に配置されると、パイプライン２の長手方向に対して左右両側に土嚢（支持壁材）３を配置する（第２の工程）。これら土嚢３とパイプライン２との間には、所定の間隙Ｓ１が設けられるようになっており、この間隙Ｓ１とパイプライン２上方とに投入される後述する盛り土材が浮上抵抗力を確保するのに必要な嵩（容量）を得られるようになっている。
【００３６】
次に、図２の（Ｄ）に示すように、ジオテキスタイル１０の幅方向両端、すなわち、パイプライン２の長手方向に対して左右方向両端１０Ｂ、１０Ｃを余らせるようにパイプライン２と支持地盤Ｃと土嚢３の内側面とに沿ってジオテキスタイル１０を被せる（第３の工程）。ジオテキスタイル１０は、いくつかの長片からなり、非透水性のシート材等、あるいは透水性の編物、麻布等で構成される。本実施例では、麻布を用いている。ジオテキスタイル１０は、中央部１０Ａがパイプライン２の管頂部を覆うようにして被せられ、そのまま管底部側に向かって降ろされ、さらに、支持地盤Ｃ上面を通り、続いて土嚢３の内側面に沿って立ち上げられ、巻き回された両端の余り部１０Ｂ、１０Ｃが土嚢３の上面に載せられるか、上方で図示しない保持手段により保持されるようになっている。このように、ジオテキスタイル１０は、パイプライン２の露出部をほぼ覆い、パイプライン２と土嚢３との間の支持地盤Ｃ上面に敷かれるとともに、土嚢３のパイプライン２側に向く面に沿って立ち上げられ、両端余り部１０Ｂ、１０Ｃは、上方で保持されるようになっている。
【００３７】
次に、図２の（Ｅ）に示すように、パイプライン２と土嚢３との間の、支持地盤Ｃ上面に敷かれたジオテキスタイル１０上と、土嚢３外側の支持地盤Ｃ上に、盛り土材５を投入する。盛り土材５は、土嚢３の上面に達するまで投入される（第４の工程）。このとき、ジオテキスタイル１０の両端余り部１０Ｂ、１０Ｃは盛り土材５に埋もれることがないよう上方で保持されるようになっている。盛り土材５は外部から搬入した掘削土でもよいし、改良土でもよい。盛り土材５は、ジオテキスタイル１０により包み込まれた際、アンカー機能を果たす剛性を発揮する材料であれば良く、土砂だけでなく、砂、礫、砂利あるいはこれらの混合材であってもよい。
【００３８】
次に、図３の（Ｆ）に示すように、盛り土材５に左右方向両側が埋められた各土嚢３Ａ、３Ａの上に別の土嚢３Ｂ、３Ｂを積み上げ、ジオテキスタイルの両端余り部１０Ｂ、１０Ｃを積み上げられた土嚢３Ｂ、３Ｂ上で保持する。そして、図３の（Ｇ）に示すように、再び、パイプライン２と積み重ねられた土嚢３Ｂ、３Ｂとの間の、向き合うジオテキスタイル１０間と、積み重ねられた土嚢３Ｂ、３Ｂの外側とに、盛り土材５を新たに積み上げられた各土嚢３Ｂ、３Ｂの上面に達するまで投入する。このようにして、土嚢３Ａ、３Ｂ・・・３Ｎの積み重ねと、盛り土材５の投入を繰り返し、図３の（Ｈ）に示すように、土嚢３Ａ、３Ｂ・・・３Ｎの積み重ねと盛り土材５の投入を、盛り土材５がパイプライン２のアンカー機能を発揮する高さＬ１に達するまで行う。本実施例では、土嚢を５個積み上げ、高さＬ１はパイプライン２の上方に達している。こうして、ジオテキスタイル１０の左右方向外側には、土嚢３Ａ、３Ｂ・・・３Ｎの積み重ねにより支持壁３Ａ−３Ｎが形成される。次に、図３の（Ｉ）に示すように、ジオテキスタイル１０の両端余り部１０Ｂ、１０Ｃを回し開いて伸ばした後、両者１０Ｂ、１０Ｃを接続し、ジオテキスタイル１０で囲まれた盛り土材５を包み込む。このジオテキスタイル１０の接続により、盛り土材５はアンカー機能を果たすことになる。また、ジオテキスタイル１０は、土嚢３Ａ、３Ｂ・・・３Ｎが積み上げられるごとに、土嚢３Ａ、３Ｂ・・・３Ｎの内側面に沿って余り部１０Ｂ、１０Ｃが上方に引き上げられるので、パイプライン１０の長手方向に沿った面が崩れることなく、確実に保持される。なお、土嚢３Ａ、３Ｂ・・・３Ｎの積み重ねと、盛り土材５の投入は、土嚢を１つ積み重ねるごとに行ってもよいし、複数の土嚢を積み重ねて、複数の土嚢分の高さに盛り土材５を投入してもよい。
【００３９】
次に、図４の（Ｊ）に示すように、ジオテキスタイル１０の上面に達する位置まで土嚢３Ｎ、３Ｎの積み上げが完了し、これら土嚢３Ｎ、３Ｎと両端が接続されたジオテキスタイル１０との上に、盛り土材５が投入されて、ジオテキスタイル１０の接続された両端１０Ｂ、１０Ｃは盛り土に埋め込まれ、図４の（Ｋ）に示すように、土質構造体６が所定の設計高さＬＧで築造される（第５の工程）。
【００４０】
上記実施例では、ジオテキスタイルを麻布で構成しているがこれに限られるものではなく、この工法に用いられるジオテキスタイルは、織布、不織布および編物、あるいはジオグリッド、ジオネットおよびメンブレンなどジオテキスタイル関連製品を含むものと定義される。例えば、種類として、ジオウォーブン（織物、織布、geowoven, woven geotextile）、ジオノンウォーブン（不織布、geononwoven, nonwoven geotextile）、ジオニット（緬物、geoknitted, knitted geotextile）、ジオグリッド（geogrid）、ジオネット（geonet）、ジオテキスタイル関連製品（geotextile-related product）、ジオコンポジット（複合製品、geocomposite）等がある。ジオウォーブンとは、縦糸と横糸を用いて織った織物で、土木などの用途に使用される製品である。ジオノンウォーブンとは、規則的または不規則的に配列した繊維を製織せずに機械的、化学的または熱的方法によって結合した不織布で、土木などの用途に使用される製品である。繊維の長さにより長い繊維と短繊維のものに大別できる。ジオユニットとは、連続した糸、繊維などによって緬目で構成した編物で、土木などの用途に使用される製品である。ジオグリッドとは、引張抵抗性のある構成要素が連結した規則的な格子構造からなるシート状のもので、主に高分子材料からなる製品である。ジオネットとは、開国部が構成要素の占める面積より大きい網目構造を持つシート状のもので、土木などの用途に使用される高分子材料の製品である。交点部は結節あるいは一体となっており、一般のジオウォーブン、ジオニットとは区別されている。ジオテキスタイル関連製品とは、狭義のジオテキスタイル、ジオグリッドおよびジオネット以外で、シート状または帯状の高分子材料からなる土木用途に使用される製品である。ジオコンポジットとは、狭義のジオテキスタイル、ジオグリッド、ジオネットなどを任意に組み合わせて一体とした複合製品である。単一製品の長所をお互い組み合わせて必要な機能を発揮させるため複合されている。
【００４１】
次に、上記第１の実施例に係るジオテキスタイルによる地中構造物の浅埋設工法の作用について説明する。まず、地盤４上に地盤材料を投入して支持地盤Ｃを形成する。次に、第１の工程で、この支持地盤Ｃ上にパイプライン２を配置し（図２の（Ｃ）参照）、この第１の工程後、第２の工程で、パイプライン２の長手方向左右両側に土嚢３Ａ、３Ａを配置する（図２の（Ｃ）参照）。これら土嚢３Ａ、３Ａとパイプライン２との間には、盛り土材５が浮上抵抗力を確保するのに必要な嵩を得られるように、所定の間隙Ｓ１が設けられる。次に、第２の工程後、第３の工程で、ジオテキスタイル１０の左右方向両端１０Ｂ、１０Ｃを余らせるようにしてパイプライン２と支持地盤Ｃと土嚢３の内側面とに沿ってジオテキスタイル１０を被せ（図２の（Ｄ）参照）、この第３の工程後、第４の工程で、パイプライン２と土嚢３との間の、支持地盤Ｃ上面に敷かれたジオテキスタイル１０上と、土嚢３Ａ、３Ａ外側の支持地盤Ｃ上に、盛り土材５を土嚢３Ａの上面に達するまで投入し、上面に達すると、各土嚢３Ａ、３Ａの上に別の土嚢３Ｂ、３Ｂを積み上げ、ジオテキスタイル１０の両端余り部１０Ｂ、１０Ｃが盛り土材５に埋もれることがないよう再び盛り土材５を投入し、土嚢３Ｃ・・・３Ｎの積み上げと盛り土材５の投入を繰り返し、盛り土材５がパイプライン２のアンカー機能を発揮する高さＬ１に達するまで行う（図３の（Ｈ）参照）。この第４の工程後、第５の工程で、ジオテキスタイル１０の両端余り部１０Ｂ、１０Ｃを接続してジオテキスタイル１０で囲まれた盛り土材５を包み込み、その上に盛り土材５をさらに投入してジオテキスタイル１０を埋め込み、所定の設計高さＬＧに達すると、土質構造体６の築造が完了する（図４の（Ｋ）参照）。
【００４２】
このように、第１の実施例に係るジオテキスタイルによる地中構造物の浅埋設工法では、ジオテキスタイル１０で盛り土材５を包み込むことにより盛り土材５の剛性が高まり、盛り土材５がパイプライン１０に対してアンカー機能を果たすので、ジオテキスタイル１０上側に投入される土被りとしての盛り土材５層の厚み（厚み＝ＬＧ−Ｌ１）を薄くすることができる。このため、地盤からの設計高さＬＧを高くとれない土質構造体６でも確実にパイプライン１０等の地中構造物の浮上を抑制することができる。また、埋設されたジオテキスタイル１０の左右方向両側面には、積み重ねられた支持壁材３Ａ−３Ｎが支持壁としての機能を果たすべく配置されているので、ジオテキスタイル１０の左右方向側面が変形されることなく保持され、ジオテキスタイル１０に包まれた盛り土材５の剛性が確実に確保され、設計通りのアンカー機能を得ることができる。ジオテキスタイル１０に包み込まれる盛り土材５は砂より砕石が好ましく、より浮上抵抗力を増大させる。さらに、盛り土材５にソイルセメントや流動化処理土を用いると、ジオテキスタイル１０と一体化しより浮上抵抗力を増大させる。
【実施例２】
【００４３】
次に、本発明の第２の実施例に係るジオテキスタイルによる地中構造物の浅埋設工法について説明する。図５は、上記第２の実施例に係るジオテキスタイルによる地中構造物の浅埋設工法により地中構造物を土質構造体に埋設した状態を示す断面図である。この第２の実施例に係るジオテキスタイルによる地中構造物の浅埋設工法は、上記第１の実施例が、パイプライン２を配置する前に、地盤４に砂や砕石などの支持力の高い地盤材料を投入して支持地盤Ｃを形成するようにしているのに対し、地盤４上に直接、パイプライン２を配置するようにした点を除き、上記第１の実施例とほぼ同一の構成を備えている。第２の実施例に係るジオテキスタイルによる地中構造物の浅埋設工法では、係る構成とすることにより、地盤４が強固な場合、支持地盤を形成しなくても地中構造物が確実に支持され変形等の虞がないので、コストダウンを図ることができる。
【実施例３】
【００４４】
次に、本発明の第３の実施例に係るジオテキスタイルによる地中構造物の浅埋設工法について説明する。図６は、上記第３の実施例に係るジオテキスタイルによる地中構造物の浅埋設工法により地中構造物を土質構造体に埋設した状態を示す断面図、図７の（Ａ）ないし（Ｄ）、図８の（Ｅ）ないし（Ｈ）および図９の（Ｉ）および（Ｊ）はそれぞれ、この第３の実施例に係るジオテキスタイルによる地中構造物の浅埋設工法により地中構造物を土質構造体に埋設する工程を順を追って示す説明図である。この第３の実施例に係るジオテキスタイルによる地中構造物の浅埋設工法は、上記第１および第２の実施例が、ジオテキスタイル１０に包み込まれる盛り土材５をアンカー機能を果たす高さＬ１まで投入する際、土嚢３の積み重ねと盛り土材５の投入とを繰り返すようにしているのに対し、土嚢３に代えて抜き板９を用いる点が異なる他はほぼ同じ構成を有している。すなわち、まず初めに、埋設予定現場の地盤４に砂や砕石などの支持力の高い地盤材料を投入して所定の厚さの支持地盤Ｃを形成する（図７の（Ａ）参照）。
【００４５】
次に、図７の（Ｂ）に示すように、支持地盤Ｃ上にパイプライン２を配置する（第１の工程）。パイプライン２が支持地盤Ｃ上に配置されると、パイプライン２の長手方向左右両側に抜き板９を立設する（第２の工程）。抜き板９は長方形状に形成された一枚板でパイプライン２に沿って支持地盤Ｃ上に引き抜き可能に立てられる。これら抜き板９とパイプライン２との間には、上記第１の実施例と同様に、所定の間隙Ｓ１が設けられる。この間隙Ｓ１には盛り土材５が投入され、パイプライン２に対する浮上抵抗力を確保するようになっている。
【００４６】
次に、図７の（Ｃ）に示すように、ジオテキスタイル１０の幅方向両端、すなわち、パイプライン２の長手方向に対して左右両端１０Ｂ、１０Ｃを余らせるようにパイプライン２と支持地盤Ｃと抜き板９の内側面とに沿ってジオテキスタイル１０を被せる（第３の工程）。ジオテキスタイル１０は、中央部１０Ａがパイプライン２の管頂部を覆うようにして被せられ、そのまま管底部側に向かって降ろされ、さらに、支持地盤Ｃ上面を通り、続いて抜き板９の内側面に沿って立ち上げられ、巻き回された両端の余り部１０Ｂ、１０Ｃが上方で図示しない保持手段により保持されるようになっている。このように、ジオテキスタイル１０は、パイプライン２の露出部をほぼ覆い、パイプライン２と抜き板９との間の支持地盤Ｃ上面に敷かれるとともに、抜き板９のパイプライン２側に向く面に沿って立ち上げられ、両端余り部１０Ｂ、１０Ｃは、上方で保持されるようになっている。
【００４７】
次に、図７の（Ｄ）に示すように、パイプライン２と抜き板９との間の、支持地盤Ｃ上面に敷かれたジオテキスタイル１０上と抜き板９の外側とに、盛り土材５を投入する。盛り土材５は、抜き板９の上部が露出する位置まで投入される。次に、図８の（Ｅ）に示すように、抜き板９の一方をＬ２分の高さ引き上げ、立ったまま下部が盛り土材５に埋まった状態となるようにする。次に、他方の抜き板９も同様にＬ２分引き上げ、立った状態に保持する。抜き板９の引き抜きは、抜き板９の引き抜き抵抗に応じてマンパワーで行ってもよいし器具を用いて行ってもよい。両方の抜き板９、９が引き上げられると（図８の（Ｆ）参照）、再び、盛り土材５を投入する。盛り土材５は、抜き板９の上部が露出する位置まで投入される（図８の（Ｇ）参照）。こうして、抜き板９、９の引き上げと、盛り土材５の投入を繰り返し、図８の（Ｈ）に示すように、盛り土材５がパイプライン２のアンカー機能を発揮する高さＬ１に達するまで行われる（第４の工程）。そして、盛り土材５が高さＬ１に達すると、図９の（Ｉ）に示すように、ジオテキスタイル１０の左右方向両面に接した抜き板９を上方に引き抜く（第５の工程）。抜き板９を引き抜いた後、ジオテキスタイル１０の両端余り部１０Ｂ、１０Ｃを回し開いて接続し、ジオテキスタイル１０で囲まれた盛り土材５を包み込む。
【００４８】
次に、抜き板９が引き抜かれ、両端が接続されたジオテキスタイル１０の上に、盛り土材５が投入されて、ジオテキスタイル１０の接続された両端１０Ｂ、１０Ｃは盛り土に埋め込まれ、図９の（Ｊ）に示すように、土質構造体６が所定の設計高さＬＧで築造される（第６の工程）。
【００４９】
次に、上記第３の実施例に係るジオテキスタイルによる地中構造物の浅埋設工法の作用について説明する。第３の実施例に係るジオテキスタイルによる地中構造物の浅埋設工法では、支持地盤Ｃを形成した後、第１の工程で支持地盤Ｃ上にパイプライン２を配置する。第１の工程後、第２の工程で、パイプライン２の長手方向左右両側に所定の間隙Ｓ１を設けて抜き板９を立設する。この第２の工程後、第３の工程で、パイプライン２と支持地盤Ｃと抜き板９の内側面とに沿ってジオテキスタイル１０を被せ、このジオテキスタイル１０の両端を余らせる。第３の工程後、第４の工程で、ジオテキスタイル１０の両端１０Ｂ、１０Ｃを上方に保持して、盛り土材５を投入して抜き板９を上方に引き上げる。投入された盛り土材５が所定の高さＬ１に達すると、第５の工程で、抜き板９を引き抜き、第６の工程で、両端が接続されたジオテキスタイル１０の上とその外側に盛り土材５が投入されて、ジオテキスタイル１０の接続された両端１０Ｂ、１０Ｃは盛り土に埋め込まれ、盛り土材５が所定の設計高さＬＧに達すると、土質構造体６の築造が完了する。
【００５０】
このため、第３の実施例に係るジオテキスタイルによる地中構造物の浅埋設工法では、ジオテキスタイル１０で盛り土材５を包み込むことにより盛り土材５の剛性が高まり、盛り土材５が地中構造物としてのパイプライン２に対してアンカー機能を果たすので、ジオテキスタイル１０の上側に投入される土被りとしての盛り土材層の厚みを薄くすることができる。従って、地盤からの設計高さＬＧを高くとれない土質構造体６でも確実にパイプライン１０等の地中構造物の浮上を抑制することができる。また、抜き板９を引き上げながら盛り土材５を投入することができるので、左右方向の幅の短い堤体でも確実にジオテキスタイル１０により盛り土材５を包み込むことができる。さらに、埋設されたジオテキスタイル１０の左右方向側面には抜き板９が配置され、盛り土材５の投入量の増大に応じて抜き板９が引き抜かれるので、ジオテキスタイル１０の溝幅方向側面が変形されることなく平面状に保持され、ジオテキスタイル１０に包まれた盛り土材５の剛性が確実に確保され、設計通りのアンカー機能を得ることができる。また、抜き板９を引き抜いて盛り土するようにしているので、盛り土された土質構造体６には、抜き板９や土嚢３など他の部材を埋め殺しする必要がなくなる。
【実施例４】
【００５１】
図１０および図１１の（Ａ）ないし（Ｆ）は、上記第３の実施例の変形例を示すもので、上記第３の実施例に係るジオテキスタイルによる地中構造物の浅埋設工法では、支持地盤Ｃに１本のパイプライン２を配置しているのに対し、支持地盤Ｃ上に複数のパイプライン２Ａ、２Ｂを所定の間隙を隔てて横に並べて配置し、盛り土材５Ａを所定の高さＬ３（この変形例の場合、パイプライン２Ａ、２Ｂのほぼ半分の高さ）まで投入して抜き板９を用いる点が異なる他はほぼ同じ構成を備えている。
【実施例５】
【００５２】
次に、本発明の第４の実施例に係るジオテキスタイルによる地中構造物の浅埋設工法について説明する。図１２の（Ａ）ないし（Ｅ）は、第４の実施例に係るジオテキスタイルによる地中構造物の浅埋設工法により地中構造物を土質構造体に埋設する工程を順を追って示す説明図である。この第４の実施例に係るジオテキスタイルによる地中構造物の浅埋設工法は、上記第１ないし第３の実施例および変形例が、パイプライン２の左右方向両側に、土嚢３や抜き板９を配して、ジオテキスタイル１０に盛り土材５を包み込むようにしているのに対し、土嚢３や抜き板９等の介在物を介在させず、盛り土材５を包み込むようにした点が異なる他はほぼ同じ構成を有している。
【００５３】
すなわち、まず初めに、支持地盤Ｃを形成した後、支持地盤Ｃ上に複数のパイプライン２Ａ、２Ｂを所定の間隙を隔てて配置し（第１の工程）、次に、盛り土材５Ａを所定の高さＬ４（この実施例の場合、パイプライン２Ａ、２Ｂのほぼ半分の高さ）まで投入し、パイプライン２Ａ、２Ｂの上部を盛り土材５Ａ上に露出させる。次に、パイプライン２Ａ、２Ｂの左右方向両側に所定の間隙Ｓ３を隔てた場所に盛り土材５を投入して一部が盛り上がる盛り上げ部７を形成する（図１２の（Ａ）参照）。そして、パイプライン２Ａ、２Ｂと盛り土材５Ａ上面とにジオテキスタイル１０を被せ、このジオテキスタイル１０の両端の余り部１０Ａ、１０Ｂを盛り上げ部７に配置するか、図示しない保持手段で上方に保持する（第２の工程、図１２の（Ａ）参照）。次に、ジオテキスタイル１０上に盛り土材５を投入し、投入量の増大に応じてジオテキスタイル１０の両端の余り部１０Ａ、１０Ｂを盛り上げ部７に沿って敷き延ばすか、図示しない保持手段により上方に回し伸ばす（第３の工程）。必要に応じて盛り上げ部７にさらに盛り土材５を投入し、高く盛り上げる（図１２の（Ｂ）ないし（Ｄ）参照）。そして、盛り土材５の投入により盛り土材５が所定の高さＬ１に達すると、ジオテキスタイル１０の余り部１０Ｂ、１０Ｃを投入された盛り土材５上に被せて接続し盛り土材５を包み込む。次に、両端が接続されたジオテキスタイル１０の上とその外側に盛り土材５が投入されて、ジオテキスタイル１０の接続された両端１０Ｂ、１０Ｃは盛り土に埋め込まれ、盛り土材５が所定の設計高さＬＧに達すると、土質構造体６の築造が完了する（第４の工程）。間隙Ｓ３とパイプライン２上方とに投入された盛り土材の嵩（容量）が浮上抵抗力を確保するようになっている。
【００５４】
このように、第４の実施例に係るジオテキスタイルによる地中構造物の浅埋設工法では、ジオテキスタイル１０で盛り土材５を包み込むことにより盛り土材５の剛性が高まり、盛り土材５が地中構造物としてのパイプライン２Ａ、２Ｂに対してアンカー機能を果たすので、ジオテキスタイル１０上側に投入される土被りとしての盛り土材層の厚みを薄くすることができ、地盤からの設計高さＬＧを高くとれない土質構造体６でも確実にパイプライン１０等の地中構造物の浮上を抑制することができることに加え、介在物を用いることなく、盛り土材５が所定の高さＬ１に達すると、ジオテキスタイル１０を接続しさえすれば埋め戻すことができるので施工効率が向上する。このため、設計高さＬＧに制限のある土質構造体６に複数の地中構造物を埋設する場合に有効である。なお、この第４の実施例に係るジオテキスタイルによる地中構造物の浅埋設工法では、パイプライン２Ａ、２Ｂの配置前に、支持地盤Ｃを形成するようにしているがこれに限られるものではなく、地盤４に直接パイプライン２Ａ、２Ｂを配置するようにしてもよい。また、第４の実施例に係るジオテキスタイルによる地中構造物の浅埋設工法では、パイプライン２Ａ、２Ｂの配置後、第２の工程で盛り土材５Ａを所定の高さＬ４まで投入して、パイプライン２Ａ、２Ｂの上部を盛り土材５Ａ上に露出させるようにしているが、これに限られるものではなく、パイプライン２Ａ、２Ｂの配置後、盛り土材５Ａを投入することなく、ジオテキスタイル１０を被せるようにしてもよい。なお、この第４の実施例に係るジオテキスタイルによる地中構造物の浅埋設工法では、盛り上げ部７を形成するようにしているがこれに限られるものではなく、ジオテキスタイル１０の両端の余り部１０Ａ、１０Ｂを図示しない保持手段により上方に保持できれば、盛り上げ部７を形成しなくともよい。
【実施例６】
【００５５】
次に、本発明の第５の実施例に係るジオテキスタイルによる地中構造物の浅埋設工法について説明する。図１３の（Ａ）、（Ｂ）はそれぞれ、第５の実施例に係るジオテキスタイルによる地中構造物の浅埋設工法により地中構造物を土質構造体に埋設した状態を示す断面図および要部を拡大して示す断面図である。この第５の実施例に係るジオテキスタイルによる地中構造物の浅埋設工法は、上記第１ないし第４の各実施例および変形例が、ジオテキスタイル１０の両端１０Ｂ、１０Ｃを接続した上で、接続されたジオテキスタイル上に盛り土材５を投入して埋め込むようにしているのに対し、ジオテキスタイル１１の両端余り部１１Ｂ、１１Ｃを接続することなく、盛り土材５に埋め込んでいる点が異なる他は、ほぼ同じ構成を有している。ジオテキスタイル１１は、パイプライン２の両側で盛り土材５を囲むことにより盛り土材の剛性が高まり、盛り土材５がパイプライン２に対してアンカー機能を果たすようになっている。しかも、ジオテキスタイル１１の、土嚢３のパイプライン２側の面に沿って上方に立ち上がる立ち上がり部１１Ｄ、１１Ｅは複数の土嚢３を積み上げて形成された支持壁に接しているので、盛り土材５の剛性がより高まる。
【００５６】
このように、第５の実施例に係るジオテキスタイルによる地中構造物の浅埋設工法では、ジオテキスタイル１１の両端１１Ｂ、１１Ｃを例え接続しなくとも、ジオテキスタイル１１で盛り土材５を囲むことにより、盛り土材５の剛性が高まり、盛り土材５がパイプライン２に対してアンカー機能を果たすので、ジオテキスタイル１１上側に投入される土被りとしての盛り土材層の厚みを薄くすることができ、設計高さの低い土質構造体でも確実に地中構造物の浮上を抑制することができる。
【実施例７】
【００５７】
図１４の（Ａ）、（Ｂ）はそれぞれ、第５の実施例の第１の変形例を示すもので、上記第５の実施例では、ジオテキスタイル１１の立ち上がり部１１Ｄ、１１Ｅが、土嚢３の支持壁内面に沿ってほぼ垂直に立ち上がるよう構成されているのに対し、この第５の実施例の第１の変形例に係るジオテキスタイル１２は、土嚢３を積み上げて形成された支持壁に沿って立ち上がり部１２Ｄ、１２Ｅが立ち上がるとともに、両端１２Ｂ、１２Ｃがパイプライン２側に折れて、盛り土材５の上面に載せられる点が異なる他は、第５の実施例とほぼ同様の構成を備えている。このように、第５の実施例の第１の変形例に係るジオテキスタイルによる地中構造物の浅埋設工法では、ジオテキスタイル１２の両端１２Ｂ、１２Ｃを例え接続しなくとも、ジオテキスタイル１２で盛り土材５を囲むことにより、盛り土材５の剛性が高まり、盛り土材５がパイプライン２に対してアンカー機能を果たすようになっている。
【実施例８】
【００５８】
図１５は、第５の実施例の第２の変形例を示すもので、上記第５の実施例では、ジオテキスタイル１１の立ち上がり部１１Ｄ、１１Ｅが、土嚢３の支持壁内面に沿ってほぼ垂直に立ち上がるよう構成されているのに対し、この第５の実施例の第２の変形例に係るジオテキスタイル１３は、土嚢３を積み上げて形成された支持壁に沿って立ち上がり部１３Ｄ、１３Ｅが立ち上がるとともに、両端１３Ｂ、１３Ｃが積み上げられた土嚢３のうち上側の土嚢３Ｕ、３Ｕの下面に挟み込まれるようにしている点が異なる他は、第５の実施例とほぼ同様の構成を備えている。このように、第５の実施例の第５の変形例に係るジオテキスタイルによる地中構造物の浅埋設工法では、ジオテキスタイル１３の両端１３Ｂ、１３Ｃを例え接続しなくとも、ジオテキスタイル１３で盛り土材５を囲むことにより、盛り土材５の剛性が高まり、盛り土材５がパイプライン２に対してアンカー機能を果たすようになっている。
【００５９】
なお、第２の実施例を除く上記各実施例では、支持地盤上にパイプラインを配置しているが、これに限られるものではなく、支持地盤上に盛り土材を投入し、盛り土材上にパイプラインを配置するようにしてもよいし、その上にパイプラインを配置した後、盛り土材または掘削土を投入し、パイプラインの上部または一部を露出させてジオテキスタイルを被せるようにしてもよい。また、上記第１第２の各実施例では、地中構造物の左右方向両側に、地中構造物の長手方向に沿って土嚢を配置しているがこれに限られるものではなく、片側のみに配置するようにしてもよい。さらに、上記各実施例では、地中構造物の例としてパイプライン２について述べているが、これに限られものではなく、水路、マンホールなどの土質構造体に埋設される構造物であればよいことはいうまでもない。また、上記第１の実施例では、土嚢３の積み上げと盛り土材５の投入を繰り返し、複数の土嚢３を積み上げて支持壁を形成し、盛り土材がアンカー機能を発揮する所定の高さに達するまで投入されるようになっているがこれに限られるものではなく、地中構造物の高さ寸法が短く、１個の土嚢（支持壁材）の高さまで盛り土材を投入してアンカー機能を発揮するのであれば、複数の土嚢３を積み上げる必要がないことはいうまでもない。さらに、上記第１の実施例では、支持壁材として土嚢３を用いているがこれに限られるものではなく、積み上げて支持壁を形成するものであれば良く、ブロックや板材であってもよいことはいうまでもない。また、盛り土材は、掘削により発生した掘削土や改良土に限られるものではなく、セメント等による流動化処理土、高分子材料などによる人工材料を用いてもよいし、これらを組み合わせて盛り土材としてもよい。さらに、土嚢３の内部またはジオテキスタイル１０〜１３で囲まれる空間には、掘削により発生する発生土を入れてよいし、改良土や砂利などを入れるようにしてもよいことはいうまでもない。また、支持壁は、地中構造物の長手方向左右両側にそれぞれ一列形成するようにしているがこれに限られるものではなく、複列形成するようにしてもよい。
【００６０】
さらに、上記第１の実施例および第５の実施例とその第１第２の変形例では、土嚢３とパイプライン２との間に所定の間隙Ｓ１を設けるようにしているが、これに限られるものではなく、例えば、図１６の（Ａ）に示すように、パイプライン２の長手方向に対して左右両側のうち、一方の側の土嚢３に対してのみ所定の間隙Ｓ１を設けて、まず、ジオテキスタイル１０を敷設し、その後、パイプライン２の他方の側のジオテキスタイル１０上に、パイプライン２と間隙を設けることなく、土嚢３Ｘを載せるようにしてもよい。また、上記第１第２の各実施例では、支持壁３Ａ−３Ｎを形成するか、抜き板９を引き抜くようにしているが、これに限られるものではなく、図１６の（Ｂ）に示すように、支持地盤Ｃ上にパイプライン２を配置した後、パイプライン２に被さったジオテキスタイル１０上でパイプライン２の左右両側に土嚢３、３を載せ、これら土嚢３から所定の間隙を隔てた支持地盤Ｃ上に抜き板９を立設するようにしてもよい。この場合、盛り土材５の投入に応じてジオテキスタイル１０の両端１０Ｂ、１０Ｃを上方に伸ばしつつ抜き板９を盛り土材５に下部が埋め込まれた状態を維持しつつ徐々に上方に引き上げ、盛り土材５が所定高さＬ１に達すると、ジオテキスタイル１０の両端１０Ｂ、１０Ｃを接続し、その後、盛り土材５を設計高さＬＧに達するまで投入するようにしてもよい。この場合には、土嚢３は盛り土材５とともにジオテキスタイル１０に包み込まれる。さらに、第３の実施例では、パイプライン２の左右両側に抜き板９、９を立設し、盛り土材５の投入によりこれら抜き板９、９を徐々に引き抜くようにしているがこれに限られるものではなく、図１６の（Ｃ）に示すように、パイプライン２が支持地盤Ｃ上に配置されると、パイプライン２の長手方向左右両側に所定の間隙Ｓ１を確保して埋設板１９を立設して盛り土材５を投入し、埋設板１９を埋め殺しにしてもよい。これにより引き抜き作業が省略される。また、上記第１ないし第４の実施例では、ジオテキスタイル１０の両端１０Ｂ、１０Ｃを接続するようにしているがこれに限られるものではなく、単に重ね合わせるようにしてもよい。さらに、パイプライン２を地盤４上に設置し、パイプライン２の両側に土嚢３Ａ、３Ａを配置した後、ジオテキスタイル１０を敷設し、すでに配置された土嚢３Ａ、３Ａ上のジオテキスタイル１０の上にさらに別の土嚢３Ｂ、３Ｂを積み重ねてジオテキスタイル１０の両端１０Ｂ、１０Ｃを上方に保持しつつ盛り土材５を投入し、ジオテキスタイル１０を上下の土嚢３Ａ、３Ｂ間に挟み込むようにしてもよい。
【図面の簡単な説明】
【００６１】
【図１】本発明の第１の実施例に係るジオテキスタイルによる地中構造物の浅埋設工法により地中構造物を埋設した状態を示す断面図である。（実施例１）
【図２】（Ａ）ないし（Ｅ）はそれぞれ、第１の実施例に係るジオテキスタイルによる地中構造物の浅埋設工法により地中構造物を埋設する工程を順を追って示す説明図である。
【図３】（Ｆ）ないし（Ｉ）はそれぞれ、第１の実施例に係るジオテキスタイルによる地中構造物の浅埋設工法により地中構造物を埋設する工程を順を追って示す説明図である。
【図４】（Ｊ）および（Ｋ）はそれぞれ、第１の実施例に係るジオテキスタイルによる地中構造物の浅埋設工法により地中構造物を埋設する工程を順を追って示す説明図である。
【図５】本発明の第２の実施例に係るジオテキスタイルによる地中構造物の浅埋設工法により地中構造物を埋設した状態を示す断面図である。（実施例２）
【図６】本発明の第３の実施例に係るジオテキスタイルによる地中構造物の浅埋設工法により地中構造物を埋設した状態を示す断面図である。（実施例３）
【図７】（Ａ）ないし（Ｄ）はそれぞれ、第３の実施例に係るジオテキスタイルによる地中構造物の浅埋設工法により地中構造物を埋設する工程を順を追って示す説明図である。
【図８】（Ｅ）ないし（Ｈ）はそれぞれ、第３の実施例に係るジオテキスタイルによる地中構造物の浅埋設工法により地中構造物を埋設する工程を順を追って示す説明図である。
【図９】（Ｉ）および（Ｊ）はそれぞれ、第３の実施例に係るジオテキスタイルによる地中構造物の浅埋設工法により地中構造物を埋設する工程を順を追って示す説明図である。
【図１０】第３の実施例の変形例を示すジオテキスタイルによる地中構造物の浅埋設工法により地中構造物を埋設した状態を示す断面図である。（実施例４）
【図１１】（Ａ）ないし（Ｆ）はそれぞれ、図１０の第３の実施例の変形例に係るジオテキスタイルによる地中構造物の浅埋設工法により地中構造物を埋設する工程を順を追って示す説明図である。
【図１２】（Ａ）ないし（Ｅ）はそれぞれ、第４の実施例に係るジオテキスタイルによる地中構造物の浅埋設工法により地中構造物を埋設する工程を順を追って示す説明図である。（実施例５）
【図１３】（Ａ）、（Ｂ）はそれぞれ、第５の実施例に係るジオテキスタイルによる地中構造物の浅埋設工法により地中構造物を埋設した状態を示す断面図および要部を拡大して示す断面図である。（実施例６）
【図１４】（Ａ）、（Ｂ）はそれぞれ、第５の実施例の第１の変形例に係るジオテキスタイルによる地中構造物の浅埋設工法により地中構造物を埋設した状態を示す断面図および要部を拡大して示す断面図である。（実施例７）
【図１５】第５の実施例の第２の変形例に係るジオテキスタイルによる地中構造物の浅埋設工法により地中構造物を埋設した状態の要部を拡大して示す断面図である。（実施例８）
【図１６】（Ａ）ないし（Ｃ）はそれぞれ、本発明の他の変形例を示す説明図である。
【符号の説明】
【００６２】
２  パイプライン（地中構造物）
３  土嚢（支持壁材）
４  地盤
５  盛り土材
６  土質構造体
１０  ジオテキスタイル
１０Ｂ、１０Ｃ  ジオテキスタイル両端余り部
【図１】
2008267567.tif 000003
【図２】
2008267567.tif 000004
【図３】
2008267567.tif 000005
【図４】
2008267567.tif 000006
【図５】
2008267567.tif 000007
【図６】
2008267567.tif 000008
【図７】
2008267567.tif 000009
【図８】
2008267567.tif 000010
【図９】
2008267567.tif 000011
【図１０】
2008267567.tif 000012
【図１１】
2008267567.tif 000013
【図１２】
2008267567.tif 000014
【図１３】
2008267567.tif 000015
【図１４】
2008267567.tif 000016
【図１５】
2008267567.tif 000017
【図１６】
2008267567.tif 000018